(57)【要約】【課題】塩素除去剤を水溶し、洗浄用水に適量滴下する着脱自在の構成とすることにより、洗浄用水に含まれる残留塩素の除去のための作業を簡便化すると共に、塩素剤水溶液を劣化などがなく安定して供給すること。【解決手段】タンク１０１に貯水された洗浄用水を所定の圧力でシャワー状に吐出し、頭皮などを洗浄する頭皮洗浄器において、洗浄用水の残留塩素を除去する塩素除去剤と塩素除去剤を溶解するための水とをそれぞれ分離して収納する除去ユニット１０と、タンク１０１および除去ユニット１０に対して着脱自在に結合され、除去ユニット１０に結合したときに上記水に塩素除去剤を溶かし、当該水溶液を滴下する滴下ユニット２０と、を備える。【選択図】　　　図５
2004024786.tif 000002
【特許請求の範囲】
【請求項１】
タンクに貯水された洗浄用水を所定の圧力でシャワー状に吐出し、頭皮などを洗浄する頭皮洗浄器において、
前記洗浄用水の残留塩素を除去する塩素除去剤と前記塩素除去剤を溶解するための水とをそれぞれ分離して収納する収納手段と、
前記タンクおよび前記収納手段に対して着脱自在に結合され、前記収納手段に結合したときに前記水に前記塩素除去剤を溶かし、当該水溶液を滴下する滴下手段と、
を備えたことを特徴とする頭皮洗浄器。
【請求項２】
前記収納手段は、
前記塩素除去剤を収納する塩素除去剤室と、
前記水を収納する水収納室と、
前記塩素除去剤室と前記水収納室を分離する第１の隔壁と、
前記塩素除去剤室の外壁の一部で構成される第２の隔壁と、
を備え、
前記滴下手段は、
前記収納手段と結合したときに前記第１の隔壁と前記第２の隔壁に貫通穴を形成するための突起と、
前記貫通穴を介して前記塩素除去剤を前記水に溶かし、その水溶液を適量滴下する滴下ノズルと、
を備えたことを特徴とする請求項１に記載の頭皮洗浄器。
【請求項３】
前記塩素除去剤として、アスコルビン酸を用いることを特徴とする請求項１または２に記載の頭皮洗浄器。
【請求項４】
前記第１の隔壁および前記第２の隔壁は、前記塩素除去剤室、および前記水収納室に対し、超音波加工により溶着されていることを特徴とする請求項２に記載の頭皮洗浄器。
【請求項５】
前記第１の隔壁および前記第２の隔壁は、金属箔またはフィルム状シート材で構成されていることを特徴とする請求項２に記載の頭皮洗浄器。
【請求項６】
前記水収納室は、前記塩素除去剤室に対し、上部に配置されることを特徴とする請求項２に記載の頭皮洗浄器。
【請求項７】
前記滴下手段は、前記タンクに対し、着脱自在の形状を有していることを特徴とする請求項１または２に記載の頭皮洗浄器。
【請求項８】
さらに、前記滴下ノズルの周囲に、前記水が、前記塩素除去剤に溶ける前に前記滴下ノズルに入り込むことを阻止する第３の隔壁を設けたことを特徴とする請求項２に記載の頭皮洗浄器。
【請求項９】
前記滴下手段は、前記洗浄用水が一部分に触れているときにのみ滴下する構造であることを特徴とする請求項１または２に記載の頭皮洗浄器。
【発明の詳細な説明】
【０００１】
【発明の属する技術分野】
本発明は、頭皮・顔部洗浄、または口腔洗浄、浄水器などに利用可能な頭皮洗浄器に関し、より詳細には、タンクに一時的に貯水された洗浄用水を加圧すると共に脈動を与え、ホースを経由してノズルヘッドからシャワー状に吐出し、頭皮などを洗浄する頭皮洗浄器に関する。
【０００２】
【従来の技術】
従来より、洗浄効率やマッサージ効果、およびその利便性、快適性などに優れた頭皮洗浄器がある。一般的に、このような頭皮洗浄器は、頭皮洗浄に使用する１回分の洗浄用水をタンクに貯水し、ポンプでタンク洗浄用水を取り込んで加圧すると共に脈動を与えて脈動水流としてノズルヘッドへ送水し、ノズルヘッドから洗浄用水を吐出する構成がとられている。このような頭皮洗浄器は、たとえば特開平１１−１９６９２５号公報「頭部・顔部洗浄装置」に開示されている。
【０００３】
ところで、このような頭皮洗浄器にあっては、洗浄用水として通常の水道水（湯）を使用することが多いため、髪や皮膚などへの影響を考慮した場合、その水道水に含まれる残留塩素を取り除くことが要求される。この場合、水道水中に含まれる残留塩素を瞬時に除去するために塩素除去剤としてアスコルビン酸がよく用いられる。この場合、アスコルビン酸を使用するたびに、洗浄用水に添加することは非常に面倒な作業である。そこで、一定量のアスコルビン酸を水中に放出するために、洗浄操作を行なう前に、一定期間、アスコルビン酸を水中に放出し続けることができる量を水に溶かして収納し、水溶液状態で一定量の供給が行なえるように工夫されているものが知られている。
【０００４】
【発明が解決しようとする課題】
しかしながら、上記に示されるような従来の頭皮洗浄器にあっては、使用開始時や一定期間使用した後などにおいて、新しいアスコルビン酸を水に溶かしてから使用するため、使用者にとってこの作業は非常に煩わしいものであった。また、あらかじめアスコルビン酸を水に溶かしておくと、劣化が進むため、水溶液として安定して供給することが困難であった。
【０００５】
本発明は、上記に鑑みてなされたものであって、塩素除去剤を水溶し、洗浄用水に適量滴下する着脱自在の構成とすることにより、洗浄用水に含まれる残留塩素の除去のための作業を簡便化すると共に、塩素剤水溶液を劣化などがなく安定して供給することを目的とする。
【０００６】
【課題を解決するための手段】
上記の目的を達成するために、請求項１にかかる頭皮洗浄器にあっては、タンクに貯水された洗浄用水を所定の圧力でシャワー状に吐出し、頭皮などを洗浄する頭皮洗浄器において、前記洗浄用水の残留塩素を除去する塩素除去剤と前記塩素除去剤を溶解するための水とをそれぞれ分離して収納する収納手段と、前記タンクおよび前記収納手段に対して着脱自在に結合され、前記収納手段に結合したときに前記水に前記塩素除去剤を溶かし、当該水溶液を滴下する滴下手段と、を備えたものである。
【０００７】
この発明によれば、洗浄用水を貯水するためのタンクに、滴下手段をセットし、さらに滴下手段に収納手段を結合することにより、着脱自在な消耗品交換の構造を実現し、さらに、収納手段に結合したときに収納された水に塩素除去剤を溶かし、その水溶液を洗浄用水に滴下する構造とすることにより、適量で、かつ新鮮な塩素剤水溶液を洗浄用水に溶け込ませることが可能になる。
【０００８】
また、請求項２にかかる頭皮洗浄器にあっては、前記収納手段は、前記塩素除去剤を収納する塩素除去剤室と、前記水を収納する水収納室と、前記塩素除去剤室と前記水収納室を分離する第１の隔壁と、前記塩素除去剤室の外壁の一部で構成される第２の隔壁と、を備え、前記滴下手段は、前記収納手段と結合したときに前記第１の隔壁と前記第２の隔壁に貫通穴を形成するための突起と、前記貫通穴を介して前記塩素除去剤を前記水に溶かし、その水溶液を適量滴下する滴下ノズルと、を備えたものである。
【０００９】
この発明によれば、請求項１において、水と塩素除去剤を隔離して収納した収納手段を、滴下手段にセット（結合）すると、水と塩素除去剤を隔離する第１の隔壁と第２の隔壁を突起により貫通し、そこで形成された穴を経由して水と塩素除去剤が混合して両者がとけ込み、さらにその水溶液を滴下ノズルから滴下することにより、適量の塩素剤水溶液が洗浄用水に溶け込み、瞬時に洗浄用水中の残留塩素を取り除くことが可能になり、かつその除去作業が簡便に行なえる。
【００１０】
また、請求項３にかかる頭皮洗浄器にあっては、前記塩素除去剤として、アスコルビン酸を用いるものである。
【００１１】
この発明によれば、請求項１または２において、塩素除去剤として、アスコルビン酸を用いることにより、水に溶けやすく、瞬時に洗浄用水に含まれる残留塩素と除去反応を起こさせることが可能になる。
【００１２】
また、請求項４にかかる頭皮洗浄器にあっては、前記第１の隔壁および前記第２の隔壁は、前記塩素除去剤室、および前記水収納室に対し、超音波加工により溶着されているものである。
【００１３】
この発明によれば、請求項２において、第１の隔壁および第２の隔壁を、塩素除去剤室、および水収納室に対し、超音波加工により溶着することにより、化学反応に影響されることなく、かつ安全性が高い状態で密閉品質を確保することが可能になる。
【００１４】
また、請求項５にかかる頭皮洗浄器にあっては、前記第１の隔壁および前記第２の隔壁は、金属箔またはフィルム状シート材で構成されているものである。
【００１５】
この発明によれば、請求項２において、第１の隔壁および前記第２の隔壁を、金属箔またはフィルム状シート材で構成することにより、化学反応に対して安定性があり、密閉強度を高くすることが可能になる。
【００１６】
また、請求項６にかかる頭皮洗浄器にあっては、前記水収納室は、前記塩素除去剤室に対し、上部に配置されるものである。
【００１７】
この発明によれば、請求項２において、水収納室を、塩素除去剤室に対し、上部に配置することにより、水と塩素除去剤とが混合しやすくなる。
【００１８】
また、請求項７にかかる頭皮洗浄器にあっては、前記滴下手段は、前記タンクに対し、着脱自在の形状を有しているものである。
【００１９】
この発明によれば、請求項１または２において、滴下手段が、タンクに対し、着脱自在の形状を有していることにより、タンクに水を入れるときや移動するときに転倒したり、転がったりして紛失するのを防止すると共に、安定した塩素除去が可能になる。
【００２０】
また、請求項８にかかる頭皮洗浄器にあっては、さらに、前記滴下ノズルの周囲に、前記水が、前記塩素除去剤に溶ける前に前記滴下ノズルに入り込むことを阻止する第３の隔壁を設けたものである。
【００２１】
この発明によれば、請求項２において、滴下ノズルの周囲に、収納された水が、塩素除去剤に溶ける前に滴下ノズルに入り込むことを阻止する第３の隔壁を設けることにより、ノズルの詰まり発生を防止し、かつ塩素除去剤の不要な消費を回避する。
【００２２】
また、請求項９にかかる頭皮洗浄器にあっては、前記滴下手段は、前記洗浄用水が一部分に触れているときにのみ滴下する構造である。
【００２３】
この発明によれば、請求項１または２において、滴下手段の構造を、洗浄用水が一部分に触れているときにのみ滴下するようにすることにより、タンクに洗浄用水が入れられ、使用するときだけ、塩素除去剤が消費される。
【００２４】
【発明の実施の形態】
以下、本発明にかかる頭皮洗浄器の好適な実施の形態について添付図面を参照し、詳細に説明する。なお、本発明はこの実施の形態を一例とするものであり、これに限定されるものではない。
【００２５】
本発明の頭皮洗浄器は、タンクに貯水された洗浄用水の残留塩素を除去する塩素除去剤と塩素除去剤を溶解するための水とをそれぞれ分離して収納する収納手段（除去ユニット）と、タンクおよび収納手段に対して着脱自在に結合され、収納手段に結合したときに収納された水に塩素除去剤を溶かし、当該水溶液を滴下する滴下手段（滴下ユニット）と、を備え、タンクに貯水された洗浄用水を所定の圧力でシャワー状に吐出し、頭皮などを洗浄するものである。以下、これらについて具体的に説明する。
【００２６】
図１は、本発明の実施の形態にかかる頭皮洗浄器１００の外観図を示し、図２は、図１における頭皮洗浄器１００内部の概略構成を示すブロック図である。
【００２７】
これらの図に示すように、この頭皮洗浄器１００は、洗浄用水を貯水するタンク１０１と、タンク１０１から洗浄用水を取り込んで加圧すると共に脈動を与えて脈動水流として送水するポンプ部１０２と、ポンプ部１０２から送出された洗浄用水を導水する配管１０３と、配管１０３で導水された洗浄用水を導水するフレキシブルチューブ１０４と、フレキシブルチューブ１０４で導水された洗浄用水を吐出するノズルヘッド１０５と、ポンプ部１０２を駆動して洗浄用水の吐出制御を行なう吐出制御部１０６と、を備えている。なお、図２において、符号１０７はタンク１０１とポンプ部１０２との間の流路である配管を示し、符号１１０は装置全体へ電源を供給するバッテリである。
【００２８】
配管１０３は、図２に示すように、フレキシブルチューブ１０４との結合部１０３ａを有している。フレキシブルチューブ１０４は、配管１０３との結合部１０４ａを有している。
【００２９】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。電源が投入されると、吐出制御部１０６は、バッテリ１１０からポンプ部１０２へ電源を供給し、ポンプ部１０２を駆動する。ポンプ部１０２は、タンク１０１から給水された洗浄用水を所定の圧力で加圧し、フレキシブルチューブ１０４を経由してノズルヘッド１０５へ洗浄用水を送水する。ノズルヘッド１０５からは、洗浄用水がシャワー状に吐出され、ユーザは頭皮を洗浄する。
【００３０】
つぎに、上述した頭皮洗浄器１００において、本発明の特徴であるところの、頭皮洗浄器１００に使用する洗浄用水に含まれる残留塩素を除去する構成（以下、これを残留塩素除去装置という）などについて説明する。
【００３１】
図３は、図１における頭皮洗浄器１００の残留塩素除去装置がセットされるタンク１０１の取り外し状態および残留除去装置の概観状態を示す説明図である。この残留塩素除去装置１は、収納手段としての除去ユニット１０と、滴下手段としての滴下ユニット２０とから構成され、後述するように、タンク１０１の用水出口部分に装着される。
【００３２】
除去ユニット１０には、滴下ユニット２０に対して着脱可能に構成されており、塩素除去剤および塩素除去剤を水溶する室がそれぞれ隔離して設けられている。滴下ユニット２０は、タンク結合部２２の先端部分を、タンク１０１の取り付け部（図示せず）に差し込むことにより、ワンタッチ操作で着脱可能な構造となっている。
【００３３】
つぎに、上述した除去ユニット１０と滴下ユニット２０の構成および両ユニットの合体状態について図４を用いて説明する。図４（ａ）は除去ユニット１０の断面構成、（ｂ）は滴下ユニット２０の断面構成、（ｃ）は両ユニットの組立て状態についてそれぞれ示している。
【００３４】
除去ユニット１０は、図４（ａ）に示すように、塩素除去剤室と水収納室とを分離する第１の隔壁２と、本ユニットの外壁の一部を構成する第２の隔壁３と、水を収納する水収納室４と、塩素除去剤を収納する塩素除去剤室５と、滴下ユニット２０と結合するための雄ネジ凸形状が設けられている結合部６と、を備えている。なお、この除去ユニット１０の本体構造は、所定の樹脂材料を用いて射出成形によって形成されている。
【００３５】
塩素除去剤としては、たとえばビタミンＣとしてよく知られ、水に可溶なアスコルビン酸（ａｓｃｏｒｂｉｃ　ａｃｉｄ）を用いる。アスコルビン酸は、固形、粉末、液体のいずれであってもよい。また、この他に、塩素除去剤として、固形物、または粉末、または液体の亜硫酸カルシウムや活性炭などを用いてもよい。また、第１の隔壁２は、たとえばアルミニウムなどの金属箔を用い、超音波加工（ｕｌｔｒａｓｏｎｉｃ　ｍａｃｈｉｎｉｎｇ）で溶着されている。
【００３６】
滴下ユニット２０は、図４（ｂ）に示すように、除去ユニット１０の結合部６に対応する雌ネジ形状が形成されている結合部２１と、タンク１０１の所定部分に差し込むことで結合する構造となっているタンク結合部２２と、除去ユニット１０と結合した際に塩素除去剤が水に溶ける前にノズル部分に入り込むのを防止する第３の隔壁２３と、除去ユニット１０と結合したときに塩素除去剤室５を貫通し、水収納室４に連通させる貫通用突起２４と、水に溶けた塩素除去剤の水溶液を適量放出する滴下ノズル部２５と、を備えている。
【００３７】
以上のように構成された除去ユニット１０と滴下ユニット２０とは、図４（ｃ）に示すような状態で螺合して結合される。すなわち、滴下ユニット２０に除去ユニット１０を回しながら挿入し、図示の位置に固定することにより、残留塩素除去装置１として機能する。
【００３８】
つぎに、以上のように構成された残留塩素除去装置１の取り付け状態および水溶液の滴下の様子を図５に示す。図５（ａ）では、タンク１０１に残留塩素除去装置１をタンク結合部２２を介して取り付けた状態を示しており、本頭皮洗浄器１００における他の構成要素については省略してある。
【００３９】
通常、滴下ユニット２０は、爪状の突起形状をなすタンク結合部２２を介してタンク１０１側に固定され、その状態で除去ユニット１０がセットされる。すなわち、除去ユニット１０は、一定期間が経過すると、消耗品として旧ユニットを滴下ユニット２から結合時とは反対にまわして外し、その後、新品のユニットに交換するという、いわゆるカートリッジ式の交換方式で行なわれる。
【００４０】
除去ユニット１０を滴下ユニット２０に回しながらねじ込むと、貫通用突起２４により、除去ユニット１０の第１の隔壁２と第２の隔壁３に貫通穴が形成され、塩素除去剤室５と水収納室４とが連通し、塩素除去剤と水が混合される。このとき、第２の隔壁３に貫通穴があく前に、塩素除去剤が滴下ノズル部２５に入り込まないように、第３の隔壁２３がブロックする。
【００４１】
水溶液になった塩素除去剤は、図５（ｂ）に示すように、滴下ノズル部２５から滴下され、タンク１０２に貯水された洗浄用水中の残留塩素と反応し、その塩素を除去する。なお、このとき、滴下ノズル部２５は、滴下ノズル部２５の一部に洗浄用水が触れている間だけ、滴下する構造をなしている。
【００４２】
このように、洗浄用水を貯水するためのタンク１０１に、滴下ユニット２０をセットし、さらに滴下ユニット２０に除去ユニット１０を結合することにより、着脱自在なカートリッジ式の消耗品交換の構造が実現する。さらに、除去ユニッチ１０に結合したときに収納された水に塩素除去剤を溶かし、その水溶液を滴下ノズル２５から洗浄用水に滴下することにより、適量で、かつ新鮮な塩素剤水溶液を洗浄用水に溶け込ませることができる。
【００４３】
【発明の効果】
以上説明したように、本発明にかかる頭皮洗浄器（請求項１）によれば、洗浄用水を貯水するためのタンクに、滴下手段をセットし、さらに滴下手段に収納手段を結合する構成としたので、着脱自在な消耗品交換が実現し、さらに、収納手段に結合したときに収納された水に塩素除去剤を溶かし、その水溶液を洗浄用水に滴下する構造とするため、適量で、かつ新鮮な塩素剤水溶液を洗浄用水に溶け込ませることができ、従来のような煩わしい作業がなくなり、かつ塩素剤液の劣化を防止し、安定した供給を行なうことができる。
【００４４】
また、本発明にかかる頭皮洗浄器（請求項２）によれば、請求項１において、水と塩素除去剤を隔離して収納した収納手段を、滴下手段にセット（結合）すると、水と塩素除去剤を隔離する第１の隔壁と第２の隔壁を突起により貫通し、そこで形成された穴を経由して水と塩素除去剤が混合して両者がとけ込み、さらにその水溶液を滴下ノズルから滴下する構成としたので、滴下手段に収納手段を結合する簡単な操作のみで、適量の塩素剤水溶液を洗浄用水に溶かし、瞬時に洗浄用水中の残留塩素を取り除くことができる。
【００４５】
また、本発明にかかる頭皮洗浄器（請求項３）によれば、請求項１または２において、塩素除去剤として、アスコルビン酸を用いるので、水に溶けやすく、瞬時に洗浄用水に含まれる残留塩素と除去反応を起こさせることができる。
【００４６】
また、本発明にかかる頭皮洗浄器（請求項４）によれば、請求項２において、第１の隔壁および第２の隔壁を、塩素除去剤室、および水収納室に対し、超音波加工により溶着するので、化学反応に影響されることなく、かつ安全性が高い状態で密閉品質を確保することができる。
【００４７】
また、本発明にかかる頭皮洗浄器（請求項５）によれば、請求項２において、第１の隔壁および前記第２の隔壁を、金属箔またはフィルム状シート材で構成するため、化学反応に対して安定性を確保した状態で、密閉強度を高くすることができる。
【００４８】
また、本発明にかかる頭皮洗浄器（請求項６）によれば、請求項２において、水収納室を、塩素除去剤室に対し、上部に配置するので、簡単な構成で水と塩素除去剤とを混合しやすくすることができる。
【００４９】
また、本発明にかかる頭皮洗浄器（請求項７）によれば、請求項１または２において、滴下手段が、タンクに対し、着脱自在の形状を有しているので、タンクに水を入れるときや移動するときに転倒したり、転がったりして紛失したり外れることが防止できると共に、安定した塩素除去を行なうことができる。
【００５０】
また、本発明にかかる頭皮洗浄器（請求項８）によれば、請求項２において、滴下ノズルの周囲に、収納された水が、塩素除去剤に溶ける前に滴下ノズルに入り込むことを阻止する第３の隔壁を設けたので、不完全な状態でのノズルの詰まり発生を防止することができ、かつ塩素除去剤の不要な消費を回避することができる。
【００５１】
また、本発明にかかる頭皮洗浄器（請求項９）によれば、請求項１または２において、滴下手段の構造を、洗浄用水が一部分に触れているときにのみ滴下するようにしたので、タンクに洗浄用水が入れられ、使用するときだけ、塩素除去剤を供給することができる。
【図面の簡単な説明】
【図１】本発明の実施の形態にかかる頭皮洗浄器の外観構成を示す説明図である。
【図２】図１における頭皮洗浄器内部の概略構成を示すブロック図である。
【図３】図１における頭皮洗浄器の残留塩素除去装置がセットされるタンクの取り外し状態および残留除去装置の概観状態を示す説明図である。
【図４】本発明の実施の形態にかかる除去ユニットと滴下ユニットの構成および両ユニットの結合状態を示す説明図であり、（ａ）は除去ユニットの断面構成、（ｂ）は滴下ユニットの断面構成、（ｃ）は両ユニットの組立て状態についてそれぞれ示している。
【図５】本発明の実施の形態にかかる残留塩素除去装置の取り付け状態および水溶液の滴下の様子を示す説明図である。
【符号の説明】
１　残留塩素除去装置
２　第１の隔壁
３　第２の隔壁
４　水収納室
５　塩素剤収納室
６　結合部
１０　除去ユニット
２０　滴下ユニット
２１　結合部
２２　タンク結合部
２３　第３の隔壁
２４　貫通用突起
２５　滴下ノズル部
１００　頭皮洗浄器
１０１　タンク
【図１】
2004024786.tif 000003
【図２】
2004024786.tif 000004
【図３】
2004024786.tif 000005
【図４】
2004024786.tif 000006
【図５】
2004024786.tif 000007